(57)【要約】【課題】簡単な操作で様々なコンテンツを切り替え表示でき、更に、切り替え表示されるコンテンツの前後関係を容易に把握可能として、任意のコンテンツを簡単に探し出して表示できるようにする。【解決手段】情報処理装置１０において、制御部２１は、コンテンツを記憶部１３から読み出して表示部１２の画面に表示させ、傾斜検出部２２により該画面の傾斜方向が検出された場合に、該画面に表示中のコンテンツを当該検出された傾斜方向において高い側から低い側に向かって移動して消去していくように表示させると共に、次の表示順序となるコンテンツを記憶部１３から読み出し、該画面において、先に表示されているコンテンツの表示が消去されていき、これに合わせて拡大していく空き領域に、当該読み出した次の表示順序のコンテンツを、傾斜方向において高い側から低い側に向かって移動しながら現れるように表示させる。【選択図】図２
2019164547.tif 000002
【特許請求の範囲】
【請求項１】
表示部と、
前記表示部の画面に順次表示される複数のコンテンツを記憶した記憶部と、
前記表示部の画面が傾斜したときに該画面の傾斜方向を検出する傾斜検出部と、
前記コンテンツを前記記憶部から読み出して前記表示部の画面に表示させ、前記傾斜検出部により該画面の傾斜方向が検出された場合に、該画面に表示されているコンテンツを前記検出された傾斜方向において高い側から低い側に向かって移動しながら消去していくように表示させると共に、次の表示順序となるコンテンツを前記記憶部から読み出し、前記表示部の画面において、先に表示されている前記コンテンツの表示が消去されていき、これに合わせて拡大していく前記コンテンツが表示されない空き領域に、当該読み出した次の表示順序のコンテンツを、前記傾斜方向において高い側から低い側に向かって移動しながら徐々に現れるように表示させる制御部と、を備える情報処理装置。
【請求項２】
前記傾斜検出部は、前記表示部の画面の傾斜角度を検出し、
前記制御部は、前記傾斜検出部により検出された前記表示部の画面の傾斜角度が増加したとき、当該傾斜角度の増加分に応じた速度分だけ、前記表示部の画面上でのコンテンツの移動速度を速くする請求項１に記載の情報処理装置。
【請求項３】
前記制御部は、前記傾斜検出部による前記表示部の画面の傾斜方向の検出が継続されている間、コンテンツを前記検出された傾斜方向において高い側から低い側に移動するように表示させ、該コンテンツのみが該画面に表示されるに至ったタイミングで該コンテンツの表示を一時的に停止させ、この後、該コンテンツを前記検出された傾斜方向において高い側から低い側に移動するように表示させる請求項１又は請求項２に記載の情報処理装置。
【請求項４】
前記制御部は、前記傾斜検出部による前記表示部の画面の傾斜方向の検出が継続されている間、コンテンツを前記検出された傾斜方向において高い側から低い側に移動するように表示させ、該コンテンツのみが該画面に表示されるに至ったタイミングで該コンテンツを一定距離だけ逆方向に移動するように表示させ、この後、該コンテンツを前記検出された傾斜方向において高い側から低い側に移動するように表示させる請求項１又は請求項２に記載の情報処理装置。
【請求項５】
前記制御部は、前記傾斜検出部による前記表示部の画面の傾斜方向の検出が継続されている間、先に表示されている前記コンテンツの予め定められた幅の部分の表示が消去されたタイミングで、前記表示部の画面に表示させている各コンテンツを移動させるように表示する表示移動速度を予め定められた速度だけ速くし、次の表示順序となるコンテンツのみが前記画面に表示されるに至った時点で、表示移動速度を元の速度に戻す請求項１又は請求項２に記載の情報処理装置。
【請求項６】
前記制御部は、前記傾斜検出部により検出された前記表示部の画面の傾斜角度が予め定められた角度まで小さくなったときに、前記表示部の画面に1つのコンテンツのみを表示させている場合は当該コンテンツを移動させる表示を停止させ、一方、該画面上に複数のコンテンツを表示させている場合は、該画面における表示面積が大きい方のコンテンツのみを該画面に表示させる請求項２に記載の情報処理装置。
【発明の詳細な説明】
【技術分野】
【０００１】
本発明は、表示部を備える携帯可能な情報処理装置に関し、特に、表示部の表示を切り替えるための技術に関する。
【背景技術】
【０００２】
表示装置の表示内容を切り替える技術としては、携帯電話端末内の傾き検知センサーを利用して、傾きに従って表示部の表示内容を切り替える技術が提案されている（下記特許文献１参照）。例えば、傾き検知センサーにより検出された傾き角度が一定値以上になったときに、その傾きの方向に応じて次ページ又は前ページのコンテンツを表示し、あるいは当該傾き方向に直交する方向であれば指定ページ数先又は指定ページ数前のコンテンツを表示する。
【先行技術文献】
【特許文献】
【０００３】
【特許文献１】特開２００５−１６５７６０号公報
【発明の概要】
【発明が解決しようとする課題】
【０００４】
しかしながら、上記特許文献１に記載の表示システムでは、傾きの方向に応じてページが切り替え表示されるとき、前のページを消してから次のページを表示させるので、ページの切り替え速度が速くなると、切り替え表示されるページの前後関係の把握が容易ではなくなり、任意のページを探し出してその頁で表示を留めることが困難である。
【０００５】
本発明は、上記の事情に鑑みなされたものであり、簡単な操作で様々なコンテンツを切り替え表示でき、更に、切り替え表示されるコンテンツの前後関係を容易に把握可能として、任意のコンテンツを簡単に探し出して表示できるようにすることを目的とする。
【課題を解決するための手段】
【０００６】
本発明の一局面に係る情報処理装置は、表示部と、前記表示部の画面に順次表示される複数のコンテンツを記憶した記憶部と、前記表示部の画面が傾斜したときに該画面の傾斜方向を検出する傾斜検出部と、前記コンテンツを前記記憶部から読み出して前記表示部の画面に表示させ、前記傾斜検出部により該画面の傾斜方向が検出された場合に、該画面に表示されているコンテンツを前記検出された傾斜方向において高い側から低い側に向かって移動しながら消去していくように表示させると共に、次の表示順序となるコンテンツを前記記憶部から読み出し、前記表示部の画面において、先に表示されている前記コンテンツの表示が消去されていき、これに合わせて拡大していく前記コンテンツが表示されない空き領域に、当該読み出した次の表示順序のコンテンツを、前記傾斜方向において高い側から低い側に向かって移動しながら徐々に現れるように表示させる制御部と、を備えるものである。
【発明の効果】
【０００７】
本発明によれば、簡単な操作で様々なコンテンツを切り替え表示でき、更に、切り替え表示されるコンテンツの前後関係を容易に把握可能として、任意のコンテンツを簡単に探し出して表示できる。
【図面の簡単な説明】
【０００８】
【図１】本発明の一実施形態にかかる情報処理装置の外観を示す平面図である。
【図２】本実施形態にかかる情報処理装置の内部構成を示すブロック図である。
【図３】（Ａ）は情報処理装置の表示部の画面を略垂直に起こした状態を示す斜視図であり、（Ｂ）は表示部の画面を略水平にした状態を示す斜視図であり、（Ｃ）は表示部の画面を略水平から傾斜させた状態を示す斜視図である。
【図４】情報処理装置の表示部の画面の傾斜方向及び傾斜角度を示す斜視図である。
【図５】（Ａ）〜（Ｅ）は、コンテンツが切り替え表示される表示部の画面の例を示す遷移図である。
【図６】（Ａ）〜（Ｅ）は、コンテンツが切り替え表示される表示部の画面の他の例を示す遷移図である。
【図７Ａ】表示部に表示されるコンテンツを切り替えるための処理手順を示すフローチャートである。
【図７Ｂ】図７Ａに続く処理手順を示すフローチャートである。
【図８】（Ａ）（Ｂ）は、表示部の画面におけるコンテンツの表示切り替え方法の一例を示す図である。
【図９】（Ａ）（Ｂ）は、表示部の画面におけるコンテンツの表示切り替え方法の他の例を示す図である。
【図１０】（Ａ）〜（Ｃ）は、表示部の画面におけるコンテンツの表示切り替え方法の別の例を示す図である。
【発明を実施するための形態】
【０００９】
以下、本発明の実施形態について図面を参照して説明する。
【００１０】
図１は、本発明の一実施形態にかかる情報処理装置の外観を示す斜視図である。また、図２は、本実施形態にかかる情報処理装置の内部構成を示すブロック図である。
【００１１】
本実施形態の情報処理装置１０は、例えば社員証などのＩＤカードであって、制御ユニット１１と、表示部１２と、記憶部１３と、ネットワーク通信部１４と、加速度センサー１６と、角速度センサー１７とを備えている。これらの構成要素は、互いにバスを通じてデータ又は信号の送受信が可能とされている。
【００１２】
表示部１２は、液晶ディスプレイ（ＬＣＤ：Liquid Crystal Display）や有機ＥＬ（ＯＬＥＤ：Organic Light-Emitting Diode）、電子ペーパーなどから構成される。
【００１３】
記憶部１３は、大容量の書き換え可能な不揮発性メモリー（ＥＥＰＲＯＭなど）等であって、表示部１２に表示される複数のコンテンツなどを記憶している。
【００１４】
ネットワーク通信部（図２ではＮＷ通信部）１４は、不図示のＬＡＮチップなどの通信モジュールを備える通信インターフェイスである。このネットワーク通信部１４は、公衆回線網等のネットワークを介してサーバーなどに接続され、サーバーなどとの間でデータ通信を行う。例えば、サーバーから送信されたコンテンツがネットワーク通信部１４で受信されて記憶部１３に記憶される。
【００１５】
加速度センサー１６は、情報処理装置１０に内蔵された既知の３軸の加速度センサーであり、表示部１２の画面におけるＸ軸、Ｙ軸、Ｚ軸の３方向についての加速度を検出して、３方向の加速度を示すそれぞれの検出信号ＸＳ、ＹＳ、ＺＳを出力する。
【００１６】
角速度センサー１７は、情報処理装置１０に内蔵された既知の角速度センサーであり、表示部１２の画面における縦のＹ軸周りの回転角度を検出して、当該回転速度を示す検出信号ＨＳを出力する。
【００１７】
制御ユニット１１は、プロセッサー、ＲＡＭ(Random Access Memory）、及びＲＯＭ（Read Only Memory）などから構成される。プロセッサーは、ＣＰＵ（Central Processing Unit）、ＭＰＵ、又はＡＳＩＣ等である。制御ユニット１１は、上記のＲＯＭ又は記憶部１３に記憶された制御プログラムが上記プロセッサーで実行されることにより、制御部２１、傾斜検出部２２、及び通信制御部２４として機能する。なお、制御ユニット１１の上記の各構成要素は、前述の制御プログラムに基づく動作によらず、それぞれハード回路により構成されてもよい。
【００１８】
制御部２１は、全体的な動作制御を行うが、主に表示部１２の表示制御を行う。通信制御部２４は、通信部１４の通信動作を制御する。
【００１９】
傾斜検出部２２は、加速度センサー１６の各検出信号ＸＳ、ＹＳ、ＺＳに基づき重力の加速度を検出して、重力の加速度の方向（鉛直方向）Ｖを検出し、この鉛直方向Ｖに対する表示部１２の画面のＸ軸又はＹ軸の関係を検出する。
【００２０】
例えば、ユーザーは、情報処理装置１０のストラップＳＴ（図１に示す）を自分の首に掛けて、情報処理装置１０をぶら下げると、図３（Ａ）に示すように表示部１２の画面が略垂直に起こされる。この場合、傾斜検出部２２は、鉛直方向Ｖが表示部１２の画面のＹ軸と略平行になることから、該画面のＹ軸の方向として略鉛直方向を検出する。
【００２１】
また、ユーザーは、情報処理装置１０の表示部１２の画面を見るときに該情報処理装置１０を手に持って、図３（Ｂ）に示すように表示部１２の画面を略水平に維持する。この場合、傾斜検出部２２は、鉛直方向Ｖが表示部１２の画面のＸ軸及びＹ軸と略直交することから、該画面のＸ軸及びＹ軸の方向として略水平方向Ｈを検出する。
【００２２】
更に、ユーザーが、図３（Ｃ）に示すように表示部１２の画面を該画面のＹ軸周りに傾斜させた場合、傾斜検出部２２は、鉛直方向Ｖが表示部１２の画面のＹ軸と略直交することから、該画面のＹ軸の方向として略水平方向Ｈを検出する。
【００２３】
また、傾斜検出部２２は、角速度センサー１７の検出信号ＨＳに基づき、図３（Ｃ）及び図４に示すように水平方向Ｈに対する表示部１２の画面のＹ軸周りの傾斜方向Ｋ及び傾斜角度αを検出する。また、傾斜検出部２２は、図４に示すようにＹ軸の順方向周り及び逆方向周りのいずれについても傾斜方向Ｋ及び傾斜角度αを検出する。
【００２４】
尚、加速度センサー１６の各検出信号ＸＳ、ＹＳ、ＺＳに基づき、表示部１２の画面の傾斜方向Ｋ及び傾斜角度αを検出することも可能である。また、加速度センサー１６の代わりに、振り子式やフロート式の傾斜センサーを用いて、表示部１２の画面の方向を検出してもよい。
【００２５】
ここで、記憶部１３に記憶されている複数のコンテンツに対しては、表示部１２に表示される表示順序が予め設定されている。各コンテンツの表示順序は、サイクリックに設定されており、最後の表示順序から最初の表示順序へと順に移行すること、及び、最初の表示順序から最後の表示順序へと移行することが可能である。
【００２６】
制御部２１は、最初の表示順序のコンテンツを記憶部１３から読み出して表示部１２の画面に表示させる。このとき、ユーザーは、図３（Ｂ）に示すように情報処理装置１０の表示部１２の画面を略水平にして、この画面を見る。そして、(1)ユーザーが、図３（Ｃ）に示すように表示部１２の画面を縦のＹ軸の順方向周りに傾斜させると、傾斜検出部２２は、画面のＹ軸の順方向周りの傾斜方向Ｋ及び傾斜角度αを検出する。
【００２７】
制御部２１は、その傾斜角度αが予め設定されている閾値以上の場合、該画面に表示されているコンテンツを、傾斜検出部２２により検出された該画面の傾斜方向Ｋにおいて高い側から低い側に向かって移動しながら徐々に消去していくように表示させる。そして、制御部２１は、次の表示順序となるコンテンツを記憶部１３から読み出して、表示部１２の画面において、上記のようにして徐々に先のコンテンツが消去されて拡大していく空き領域（先のコンテンツが表示されない領域）に、読み出した該次の表示順序のコンテンツを、上記傾斜方向Ｋにおいて高い側から低い側に向かって移動しながら徐々に現れるように表示させる。
【００２８】
以降同様に、上記傾斜角度α及び傾斜方向Ｋが維持されている間、制御部２１は、複数のコンテンツを記憶部１３から順次読み出して、該各コンテンツが表示部１２の画面上で傾斜方向Ｋの高い側から低い側に移動して先のコンテンツ（予め設定されている表示順が先のコンテンツ）が新しいコンテンツ（予め設定されている表示順が後のコンテンツ）に入れ替わるように、逐次表示させる。このような制御により、ユーザーが、図３（Ｃ）に示すように表示部１２の画面を縦のＹ軸の順方向周りに傾斜させると、表示部１２の画面に表示されているコンテンツが新しいコンテンツに切り換わって表示されることになる。
【００２９】
また、(2)表示部１２の画面が縦のＹ軸の逆方向周りに傾斜させ、その傾斜角度αが予め設定されている閾値以上の場合は、傾斜検出部２２により画面の縦のＹ軸の逆方向周りの傾斜方向Ｋ及び傾斜角度αが検出される。制御部２１は、各コンテンツが表示部１２の画面上で傾斜方向Ｋの高い側から低い側に移動して先のコンテンツ（予め設定されている表示順が後のコンテンツ）が新しいコンテンツ（予め設定されている表示順が先のコンテンツ）に入れ替わるように、逐次表示させる。当該(2)の場合、(1)の場合と比べて、制御部２１が各コンテンツを移動させて表示させる当該移動方向は逆方向となる。
【００３０】
また、制御部２１は、傾斜検出部２２により検出された表示部１２の画面の傾斜角度が増加したとき、当該傾斜角度の増加分に応じた速度分だけ、表示部１２の画面上でのコンテンツの移動速度を速くする。
【００３１】
そして、ユーザーが情報処理装置１０の表示部１２の画面を略水平に戻して、傾斜検出部２２により検出される該画面の縦のＹ軸周りの傾斜角度αが上記閾値よりも小さくなると、制御部２１は、表示部１２の画面上でのコンテンツの移動を停止させる。このとき、制御部２１は、表示部１２の画面に１つのコンテンツのみを表示させているときは、当該コンテンツの表示を維持する。また、制御部２１は、表示部１２の画面に例えば２つのコンテンツを表示されている状態のときは、当該各コンテンツのうち、表示させている面積が大きい方のコンテンツを選択して、この選択したコンテンツのみを表示部１２の画面に表示させる状態となるまでコンテンツの移動表示を続けさせて、当該選択したコンテンツのみを表示部１２の画面に表示させた時点で表示を止める。
【００３２】
例えば、図５（Ａ）に示すように表示部１２の画面にコンテンツＣ１が表示されているものとする。このとき、表示部１２の画面が一旦略水平にされ、表示部１２の画面が縦のＹ軸の順方向周りに傾斜されると、制御部２１は、図５（Ｂ）に示すように、表示部１２の画面上で、コンテンツＣ１を傾斜方向Ｋの高い側から低い側に移動するようにして表示させ、同時に次のコンテンツＣ２を傾斜方向Ｋの高い側から低い側に移動するようにして表示させ、図５（Ｃ）に示すようにコンテンツＣ１を該画面から消去させて、次のコンテンツＣ２のみを該画面に表示させる。
【００３３】
そして、表示部１２の画面の傾斜状態が維持されているとき、制御部２１は、図５（Ｄ）に示すように、コンテンツＣ２を傾斜方向Ｋの高い側から低い側に移動するようにして表示させ、同時に次のコンテンツＣ３がコンテンツＣ２に代わって傾斜方向Ｋの高い側から低い側に移動するようにして表示させ、図５（Ｅ）に示すように、コンテンツＣ２の代わりに、次のコンテンツＣ３のみを該画面に表示させる。
【００３４】
また、制御部２１は、表示部１２の画面が縦のＹ軸の逆方向周りに傾斜された場合も、傾斜方向Ｋの高い側から低い側に移動するようにして表示させるが、図６（Ａ）〜（Ｅ）に示すように、各コンテンツＣ１、Ｃ２、Ｃ３を逆の表示順序でかつ表示部１２の画面上で逆向きに移動するようにして表示させる。
【００３５】
また、表示部１２の画面の縦のＹ軸周りに傾斜角度αが大きくなる程、該画面上での各コンテンツＣ１、Ｃ２、Ｃ３の移動速度が速くなる。
【００３６】
また、図５（Ｄ）に示すように表示部１２の画面にコンテンツＣ２及び次のコンテンツＣ３が共に表示されている状態で、表示部１２の画面が略水平に戻されると、図５（Ｅ）に示すように各コンテンツＣ２、Ｃ３のうちから表示面積が大きい方のコンテンツＣ３が選択されて、このコンテンツＣ３のみが表示部１２の画面に表示される。
【００３７】
従って、情報処理装置１０を手に持って、表示部１２の画面を略水平に維持したり傾斜させたりするだけで、様々なコンテンツを切り替え表示させることができる。また、コンテンツの移動速度が速くても、各コンテンツが徐々に切り換わって表示されるため、切り替え表示されるコンテンツの前後関係を把握して、任意のコンテンツを容易に表示させることができる。
【００３８】
更に、本実施形態によれば、情報処理装置１０を傾けると低くした側に向かって各コンテンツが移動していくように表示が切り替わるので、ユーザーは、情報処理装置１０を傾けることで表示部１２の画面に表示されているコンテンツを擬似的に低い方に流して落とすような感覚をもって、表示画面を切り換えることができる。このため、ユーザーは、コンテンツの表示を切り換える操作を直感的に理解して簡単に次の順にコンテンツを表示させることができる。
【００３９】
次に、そのようなユーザーによる情報処理装置１０の操作に応じて表示部１２に表示されるコンテンツを切り替えるための処理手順を、図７Ａ、図７Ｂに示すフローチャートなどを参照して説明する。
【００４０】
まず、ユーザーは、情報処理装置１０のストラップＳＴを自分の首に掛けて、情報処理装置１０をぶら下げ、また情報処理装置１０のスイッチをオンにして、情報処理装置１０を起動させる（Ｓ１０１）。制御部２１は、情報処理装置１０が起動されると、最初の表示順序のコンテンツＣ１を記憶部１３から読み出して、このコンテンツＣ１を表示部１２の画面に表示させる（Ｓ１０２）。
【００４１】
このようにユーザーが情報処理装置１０をぶら下げた状態では、図３（Ａ）に示すように表示部１２の画面が略垂直に起こされるので、傾斜検出部２２は、表示部１２の画面のＹ軸の方向として略鉛直方向を検出する。この場合、制御部２１は、表示部１２の画面の方向が水平方向に向いていないと判定し（Ｓ１０３「Ｎｏ」）、Ｓ１０３の処理を繰り返して、表示部１２の画面の方向が略水平方向となるのを待機する（最初のコンテンツの表示状態を維持する）。
【００４２】
ここで、ユーザーが情報処理装置１０を手に持って表示部１２の画面を略水平にすると、図３（Ｂ）に示すように鉛直方向Ｖが表示部１２の画面のＸ軸及びＹ軸と略直交するので、傾斜検出部２２は、表示部１２の画面のＸ軸及びＹ軸の方向が略水平方向になっていると検出する。この場合、制御部２１は、表示部１２の画面の方向が略水平方向であると判定し（Ｓ１０３「Ｙｅｓ」）、傾斜検出部２２により検出された表示部１２の画面の縦のＹ軸周りの傾斜方向Ｋ及び傾斜角度αを取得する（Ｓ１０４）。そして、制御部２１は、傾斜角度αが第１傾斜角度範囲Ａ（０°≦α＜２０°）、第２傾斜角度範囲Ｂ（２０°≦α＜４０°）、第３傾斜角度範囲Ｃ（４０°≦α＜６０°）、及び第４傾斜角度範囲Ｄ（６０°≦α）のいずれに入るかを判定する（Ｓ１０５、Ｓ１０６、Ｓ１０７、Ｓ１０８）。
【００４３】
例えば、ユーザーが表示部１２の画面を略水平に維持し続けているとすると、制御部２１は、縦のＹ軸周りの傾斜角度αが第１傾斜角度範囲Ａ（０°≦α＜２０°）に入ると判定して（Ｓ１０５「Ｙｅｓ」）、コンテンツＣ１を表示部１２の画面に継続して表示する（Ｓ１０９）。そして、制御部２１は、縦のＹ軸周りの傾斜角度αが第１傾斜角度範囲Ａに入り続けていると判定すると（Ｓ１１０「Ｙｅｓ」）、Ｓ１０９の処理を継続する。従って、ユーザーが表示部１２の画面を略水平に維持し続けている限り、表示部１２の画面のコンテンツの表示が維持されて、画面上でコンテンツが移動することはない。なお、この場合、２０°が上記閾値の例となる。
【００４４】
また、制御部２１は、縦のＹ軸周りの傾斜角度αが第１傾斜角度範囲Ａから外れたと判定すると（Ｓ１１０「Ｎｏ」）、傾斜検出部２２により検出された表示部１２の画面の縦のＹ軸の方向が略水平に維持されているときは（Ｓ１１１「Ｙｅｓ」）、Ｓ１０４からの処理を繰り返す。すなわち、図３（Ｂ）又は図３（Ｃ）に示すように表示部１２の画面の縦のＹ軸の方向が略水平に維持されている限り、コンテンツを切り替え表示させるためのユーザー操作が継続されているものとみなして、Ｓ１０４からの処理を繰り返す。
【００４５】
そして、ユーザーが表示部１２の画面を縦のＹ軸周りに大きく傾斜させ、制御部２１が、例えば縦のＹ軸周りの傾斜角度αが第２傾斜角度範囲Ｂ（２０°≦α＜４０°）に入ると判定した場合（Ｓ１０５「Ｎｏ」，Ｓ１０６「Ｙｅｓ」）、制御部２１は、コンテンツＣ１を表示部１２の画面の傾斜方向Ｋの高い側から低い側に移動するようにして表示させて徐々に消去させていくと共に、傾斜方向Ｋの順方向周り又は逆方向周りに応じた表示順序のコンテンツを記憶部１３から読み出して、このコンテンツを傾斜方向Ｋの高い側から低い側に移動させて表示させる（Ｓ１１２）。このとき、制御部２１は、表示部１２の画面上で各コンテンツを、予め定められた第１移動速度Ｖ１で移動させる（Ｓ１１３）。そして、制御部２１は、傾斜角度αが第２傾斜角度範囲Ｂに入り続けていると判定すると（Ｓ１１４「Ｙｅｓ」）、Ｓ１１２、Ｓ１１３の処理を継続する。従って、縦のＹ軸周りの傾斜角度αが第２傾斜角度範囲Ｂに入り続けている間、次のコンテンツが記憶部１３から逐次読み出されて、該コンテンツが表示部１２の画面の外側から傾斜方向Ｋの低い側に第１移動速度Ｖ１で移動されて表示される。
【００４６】
また、制御部２１は、縦のＹ軸周りの傾斜角度αが第２傾斜角度範囲Ｂ（２０°≦α＜４０°）から外れたと判定すると（Ｓ１１４「Ｎｏ」）、傾斜検出部２２により検出された表示部１２の画面の縦のＹ軸の方向が略水平に維持されている場合は（Ｓ１１１「Ｙｅｓ」）、つまりコンテンツを切り替え表示させるためのユーザー操作が継続されている場合は、Ｓ１０４からの処理を繰り返す。
【００４７】
このとき、例えばユーザーが表示部１２の画面を略水平に戻したとすると、制御部２１は、縦のＹ軸周りの傾斜角度αが第１傾斜角度範囲Ａ（０°≦α＜２０°）に入ると判定するが（Ｓ１０５「Ｙｅｓ」）、このとき、Ｓ１１２、Ｓ１１３の処理により、表示部１２の画面に１つのみのコンテンツが表示されている場合は、表示部１２の画面に表示させている当該コンテンツをそのまま継続して表示させ（Ｓ１０９）、当該コンテンツの表示を維持する。
【００４８】
また、Ｓ１１２、Ｓ１１３の処理により表示部１２の画面に２つのコンテンツが表示されているときに、ユーザーが表示部１２の画面を略水平に戻したとすると、このときも、制御部２１は、縦のＹ軸周りの傾斜角度αが第１傾斜角度範囲Ａに入ると判定するが（Ｓ１０５「Ｙｅｓ」）、制御部２１は、表示部１２の画面に表示されている各コンテンツのうちの表示面積が大きい方のコンテンツを選択して、この選択したコンテンツのみを表示部１２の画面に表示させ（Ｓ１０９）、当該コンテンツの表示を維持する。
【００４９】
そして、ユーザーが表示部１２の画面をより傾斜させると、制御部２１は、縦のＹ軸周りの傾斜角度αが第３傾斜角度範囲Ｂ（４０°≦α＜６０°）に入ると判定する（Ｓ１０６「Ｎｏ」，Ｓ１０７「Ｙｅｓ」）。この場合も、制御部２１は、コンテンツＣ１を表示部１２の画面の傾斜方向Ｋの高い側から低い側に移動するようにして表示させて徐々に消去させていくと共に、傾斜方向Ｋの順方向周り又は逆方向周りに応じた表示順序のコンテンツを記憶部１３から読み出して、この読み出したコンテンツを表示部１２の画面の傾斜方向Ｋの高い側から低い側に移動するようにして表示させる（Ｓ１１５）。
【００５０】
このとき、制御部２１は、表示部１２の画面上で各コンテンツを予め定められた第２移動速度Ｖ２（Ｖ１＜Ｖ２）で移動させる。そして、制御部２１は、例えば図８（Ａ）に示すように、コンテンツＣ１の２／３の幅の部分の表示が消去されたタイミングで、コンテンツＣ１及びコンテンツＣ２の移動速度を第２移動速度Ｖ２よりも速くする（例えばＶ２の２倍まで速くする）。
【００５１】
そして、制御部２１は、図８（Ｂ）に示すようにコンテンツＣ１の全体が消去されると共にコンテンツＣ２の全体が該画面に表示されたタイミングで、コンテンツＣ２の移動速度を第２移動速度Ｖ２に戻し、次のコンテンツＣ３の移動速度も第２移動速度Ｖ２に設定する（Ｓ１１６）。
【００５２】
更に、制御部２１は、傾斜角度αが第３傾斜角度範囲Ｂに入り続けていると判定すると（Ｓ１１７「Ｙｅｓ」）、Ｓ１１５、Ｓ１１６の処理を継続する。従って、縦のＹ軸周りの傾斜角度αが第３傾斜角度範囲Ｂに入り続けている間、次のコンテンツが記憶部１３から逐次読み出されて、次のコンテンツが表示部１２の画面の外側から傾斜方向Ｋの低い側に第２移動速度Ｖ２で移動されて表示され、前の表示順序のコンテンツの２／３の幅の部分の表示が消去されたタイミングで、該画面上の各コンテンツの移動速度が第２移動速度Ｖ２よりも速くなり、前の表示順序のコンテンツの全体が消去されると共に次のコンテンツの全体が該画面に表示されたタイミングで、当該次のコンテンツの移動速度が第２移動速度Ｖ２に戻される。これにより、１つのコンテンツから更に次のコンテンツへの切り替えを、各コンテンツの見やすさを維持しつつ、より迅速に完了させることができる。
【００５３】
一方、制御部２１は、縦のＹ軸周りの傾斜角度αが第３傾斜角度範囲Ｂ（４０°≦α＜６０°）から外れたと判定すると（Ｓ１１７「Ｎｏ」）、傾斜検出部２２により検出された表示部１２の画面の縦のＹ軸の方向が略水平に維持されている場合には（Ｓ１１１「Ｙｅｓ」）、Ｓ１０４からの処理を繰り返す。
【００５４】
このとき、ユーザーが表示部１２の画面を略水平に戻したとすると、制御部２１は、縦のＹ軸周りの傾斜角度αが第１傾斜角度範囲Ａ（０°≦α＜２０°）に入ると判定することになるが（Ｓ１０５「Ｙｅｓ」）、この判定時点で、(i)表示部１２の画面に１つのみのコンテンツを表示させている場合は、表示部１２の画面に表示させている当該コンテンツをそのまま継続して表示させて（Ｓ１０９）、当該コンテンツの表示を維持する、又は、(ii)画面に複数のコンテンツを表示させている場合は、表示部１２の画面に表示させている各コンテンツのうちの表示面積が大きい方のコンテンツを選択して、この選択したコンテンツのみを表示部１２の画面に表示させて（Ｓ１０９）、当該コンテンツの表示を維持する、のいずれかを行う。
【００５５】
そして、傾斜角度αが第１傾斜角度範囲Ａの状態からユーザーが表示部１２の画面を更に傾斜させると、制御部２１は、縦のＹ軸周りの傾斜角度αが第４傾斜角度範囲Ｄ（６０°≦α）に入ると判定することになる（Ｓ１０８「Ｙｅｓ」）。この場合も、制御部２１は、コンテンツＣ１を表示部１２の画面の傾斜方向Ｋの高い側から低い側に移動して徐々に表示が消去されるように表示させると共に、傾斜方向Ｋの順方向周り又は逆方向周りに応じた表示順序のコンテンツを記憶部１３から読み出して、傾斜方向Ｋの高い側から低い側に移動するようにして表示させる（Ｓ１１８）。
【００５６】
このとき、制御部２１は、表示部１２の画面上で各コンテンツを、予め定められた第３移動速度Ｖ３（Ｖ１＜Ｖ２＜Ｖ３）で移動させる（Ｓ１１９）。そして、制御部２１は、例えば図９（Ａ）に示すようにコンテンツＣ２のみが該画面に表示されるに至ったタイミングで該コンテンツＣ２の表示を一時的に停止させ、この直後に、図９（Ｂ）に示すようにコンテンツＣ２を第３移動速度Ｖ３で傾斜方向Ｋの低い側に移動して徐々に消去するように表示させ、次に表示すべきコンテンツＣ３について傾斜方向Ｋの高い側から低い側に移動するようにみせる表示を開始する。
【００５７】
制御部２１は、傾斜角度αが第４傾斜角度範囲Ｄに入り続けていると判定すると（Ｓ１２０「Ｙｅｓ」）、Ｓ１１８、Ｓ１１９の処理を継続する。従って、縦のＹ軸周りの傾斜角度αが第４傾斜角度範囲Ｄである間は、次のコンテンツが記憶部１３から逐次読み出されて、該コンテンツが表示部１２の画面上で傾斜方向Ｋの高い側から低い側に第３移動速度Ｖ３で移動するようにして表示され、該コンテンツのみが該画面に表示されるに至ったタイミングで該コンテンツの表示が一時的に停止され、この後、該コンテンツを第３移動速度Ｖ３で傾斜方向Ｋの低い側に移動して徐々に消去するように表示させて、次に表示すべきコンテンツについて傾斜方向Ｋの高い側から低い側に移動するようにみせる表示が開始される。これにより、表示部１２の画面上でコンテンツが速い速度で移動する表示が行われても、ユーザーは所望のコンテンツのみが表示されている状態を的確に把握可能になる。
【００５８】
また、制御部２１は、縦のＹ軸周りの傾斜角度αが第４傾斜角度範囲Ｄ（６０°≦α）から外れたと判定すると（Ｓ１１６「Ｎｏ」）、傾斜検出部２２により検出された表示部１２の画面の縦のＹ軸の方向が略水平に維持されている場合に（Ｓ１１１「Ｙｅｓ」）、Ｓ１０４からの処理を繰り返す。
【００５９】
このとき、表示部１２の画面が略水平に戻されると、制御部２１は、縦のＹ軸周りの傾斜角度αが第１傾斜角度範囲Ａ（０°≦α＜２０°）に入ると判定するため（Ｓ１０５「Ｙｅｓ」）、この判定時点で、(i)表示部１２の画面に１つのみのコンテンツを表示させている場合は、表示部１２の画面に表示させている当該コンテンツをそのまま継続して表示させて（Ｓ１０９）、当該コンテンツの表示を維持する、又は、(ii)画面に複数のコンテンツを表示させている場合は、表示部１２の画面に表示させている各コンテンツのうちの表示面積が大きい方のコンテンツを選択して、この選択したコンテンツのみを表示部１２の画面に表示させて（Ｓ１０９）、当該コンテンツの表示を維持する、のいずれかを行う。
【００６０】
また、ユーザーが、情報処理装置１０のストラップＳＴを自分の首に掛けて、情報処理装置１０をぶら下げ、鉛直方向Ｖが表示部１２の画面の縦のＹ軸と平行になること等により、制御部２１が、縦のＹ軸周りの傾斜角度αが第１傾斜角度範囲Ａ、第２傾斜角度範囲Ｂ、第３傾斜角度範囲Ｃ、又は第４傾斜角度範囲Ｄから外れたと判定したときは（Ｓ１１０「Ｎｏ」、Ｓ１１４「Ｎｏ」、Ｓ１１７「Ｎｏ」、Ｓ１２０「Ｎｏ」）、表示部１２の画面の縦のＹ軸の方向が略水平に維持されていないと判定することになるため（Ｓ１１１「Ｎｏ」）、コンテンツを切り替え表示させるためのユーザー操作が終了したとして、処理はＳ１０２に戻る。
【００６１】
このように本実施形態では、キーやタッチパネルを設けることなく、情報処理装置１０の表示部１２の画面を略水平に維持したり傾斜させたりするだけで、様々なコンテンツを切り替え表示させることができる。また、コンテンツの移動速度が速くても、ユーザーは、切り替え表示されるコンテンツの前後関係を把握して、任意のコンテンツを容易に表示させることができる。
【００６２】
なお、上記実施形態では、制御部２１は、図９（Ａ）に示すように、コンテンツＣ２のみが該画面に表示されるに至ったタイミングで該コンテンツＣ２の表示を一時的に停止させ、この直後に、図９（Ｂ）に示すようにコンテンツＣ２を第３移動速度Ｖ３で傾斜方向Ｋの低い側に移動して徐々に消去するように表示させ、次に表示すべきコンテンツＣ３について傾斜方向Ｋの高い側から低い側に移動するようにみせる表示を開始するようにしているが、これに代えて以下の処理を行っても良い。
【００６３】
制御部２１は、図１０（Ａ）に示すようにコンテンツＣ２のみが該画面に表示されるに至ったタイミングで該コンテンツＣ２の表示を一時的に停止させた後、図１０（Ｂ）に示すように、コンテンツＣ２を一定距離だけ逆方向（傾斜方向Ｋの低い側から高い側）に移動するようにして表示させ、この後、図１０（Ｃ）に示すように、コンテンツＣ２を傾斜方向Ｋの高い側から低い側に移動するように表示させてもよい。この場合も、表示部１２の画面上でコンテンツが速い速度で移動する表示が行われても、ユーザーは所望のコンテンツのみが表示されている状態を的確に把握可能になる。
【００６４】
また、上記実施形態では、傾斜検出部２２は、水平方向に対する表示部１２の画面のＹ軸周りの傾斜方向Ｋ及び傾斜角度αを検出しているが、水平方向とは異なる予め定められた方向に対する画面のＹ軸周りの傾斜方向Ｋ及び傾斜角度αを検出し、制御部２１が当該検出結果に応じて、上述した表示制御を行うようにしてもよい。例えば、表示部１２の画面を任意の姿勢に保持しているときに、キーなどの操作に応じて傾斜検出部２２が鉛直方向Ｖに対する表示部１２の画面のＸ軸の方向を検出して、このＸ軸の方向を予め定められた方向として初期設定し、この後に傾斜検出部２２が当該予め定められた方向に対する画面のＹ軸周りの傾斜方向Ｋ及び傾斜角度αを検出するようにする。
【００６５】
また、本発明の情報処理装置は、ＩＣカードに限らず、他の種類の携帯用の装置に適用することが可能である。
【００６６】
また、図１乃至図１０を用いて説明した上記実施形態の構成は、本発明の一例に過ぎず、本発明を当該構成に限定する趣旨ではない。
【符号の説明】
【００６７】
１０    情報処理装置
１１    制御ユニット
１２    表示部
１３    記憶部
１６    加速度センサー
１７    角速度センサー
２１    制御部
２２    傾斜検出部
【図１】
2019164547.tif 000003
【図２】
2019164547.tif 000004
【図３】
2019164547.tif 000005
【図４】
2019164547.tif 000006
【図５】
2019164547.tif 000007
【図６】
2019164547.tif 000008
【図７Ａ】
2019164547.tif 000009
【図７Ｂ】
2019164547.tif 000010
【図８】
2019164547.tif 000011
【図９】
2019164547.tif 000012
【図１０】
2019164547.tif 000013